(57)【要約】【課題】例えばユーザが子供であった場合等に、ユーザがメールの送受信を行う際に、そのメールの内容に応じて特定のメールアドレス（例えば監督義務のある親等）に対して秘密裏に同様の内容のメールを送信することができる携帯端末を提供することを目的とする。【解決手段】送信するメールのメール情報の入力を受け付けるメール受付手段と、メール受付手段により受け付けられたメール情報に、所定の語句が含まれているか否かを判断する判断手段と、判断手段により所定の語句が含まれているものと判断された場合、メール受付手段により受け付けられたメール情報のＢＣＣ送信先に所定のメールアドレスを設定する設定手段と、を備えた。【選択図】  図２
2010140336.tif 000002
【特許請求の範囲】
【請求項１】
送信するメールのメール情報の入力を受け付けるメール受付手段と、
前記メール受付手段により受け付けられたメール情報に、所定の語句が含まれているか否かを判断する判断手段と、
前記判断手段により所定の語句が含まれているものと判断された場合、前記メール受付手段により受け付けられたメール情報のＢＣＣ送信先に所定のメールアドレスを設定する設定手段と、
を備えたことを特徴とする携帯端末。
【請求項２】
メールを受信するメール受信手段と、
前記メール受信手段により受信されたメールのメール情報に、所定の語句が含まれているか否かを判断する判断手段と、
前記判断手段により所定の語句が含まれているものと判断された場合、前記メール受信手段により受信されたメールと同様の内容のメールを所定のメールアドレスに対して送信する送信手段と、
を備えたことを特徴とする携帯端末。
【請求項３】
語句の入力を受け付ける語句受付手段を備え、
前記判断手段は、メール情報に、前記語句受付手段により受け付けられた語句が含まれているか否かを判断することを特徴とする請求項１または２記載の携帯端末。
【請求項４】
パスワードを記憶する記憶手段と、
パスワードの入力を受け付けるパスワード受付手段と、を備え、
前記語句受付手段は、前記パスワード受付手段により受け付けられたパスワードが前記記憶手段により記憶されているパスワードと同一であった場合に、語句の入力を受け付けることを特徴とする請求項３記載の携帯端末。
【請求項５】
前記判断手段は、前記語句受付手段により語句が受け付けられていない場合、所定の語句が含まれているものと判断することを特徴とする請求項３記載の携帯端末。
【請求項６】
送信するメールのメール情報の入力を受け付けるメール受付ステップと、
前記メール受付ステップにて受け付けられたメール情報に、所定の語句が含まれているか否かを判断する判断ステップと、
前記判断ステップにて所定の語句が含まれているものと判断された場合、前記メール受付ステップにて受け付けられたメール情報のＢＣＣ送信先に所定のメールアドレスを設定する設定ステップと、
をコンピュータに行わせることを特徴とする携帯端末のメール生成プログラム。
【請求項７】
メールを受信するメール受信ステップと、
前記メール受信ステップにて受信したメールのメール情報に、所定の語句が含まれているか否かを判断する判断ステップと、
前記判断ステップにて所定の語句が含まれているものと判断された場合、前記メール受信ステップにて受信したメールと同様の内容のメールを所定のメールアドレスに対して送信する送信ステップと、
をコンピュータに行わせることを特徴とする携帯端末のメール生成プログラム。
【請求項８】
前記判断ステップにて判断を行う以前に、語句の入力を受け付ける語句受付ステップをコンピュータに行わせるとともに、
前記判断ステップにて、メール情報に、前記語句受付ステップにて受け付けられた語句が含まれているか否かを判断することを特徴とする請求項６または７記載の携帯端末のメール生成プログラム。
【請求項９】
前記語句受付ステップにて語句の入力を受け付ける以前に、パスワードの入力を受け付けるパスワード受付ステップをコンピュータに行わせるとともに、
前記語句受付ステップにて、前記パスワード受付ステップにて受け付けられたパスワードが所定のパスワードと同一であった場合に、語句の入力を受け付けることを特徴とする請求項８記載の携帯端末のメール生成プログラム。
【請求項１０】
前記判断ステップにて、前記語句受付ステップにて語句が受け付けられていない場合、所定の語句が含まれているものと判断することを特徴とする請求項８記載の携帯端末のメール生成プログラム。
【発明の詳細な説明】
【技術分野】
【０００１】
本発明は、メールを送信する際に、メールの内容に応じて所定のメールアドレスをＢｃｃ送信先として設定するとともに、メールを受信する際に、メールの内容に応じて所定のメールアドレスに同様の内容のメールを送信することができる携帯端末、及びこの携帯端末のメール生成プログラムに関する。
【背景技術】
【０００２】
携帯端末における一般的なメール送信機能において、メール作成画面は、メールの送信先を記入するためのＴｏ欄、同様のメールの転送先を記入するためのＣｃ（Ｃａｒｂｏｎ  Ｃｏｐｙ）欄を備えている。このＣｃ欄に記入されたメールアドレスには、このときの送信メールと同様の内容のメールが送信される。通常、Ｃｃ欄に記入されたメールアドレスは他の送信先に対して公開される。
【０００３】
またメール送信機能において、メール作成画面は、Ｃｃ欄と同様にメールの転送先を記入するためのＢｃｃ（Ｂｌｉｎｄ  Ｃａｒｂｏｎ  Ｃｏｐｙ）欄を備えている。このＢｃｃ欄に記入されたメールアドレスにも同様の内容のメールが送信される。しなしながら、Ｂｃｃ欄に記入されたメールアドレスは他の送信先に公開されないため、他の送信先に対して秘匿しつつ特定のメールアドレスに対して同様の内容のメールを送信することができる。
【０００４】
例えば、公開鍵証明書により暗号化処理された電子メールにおいて、Ｂｃｃ送信の機能を回復させることができる電子メール送信装置が提案されている（特許文献１参照）。この電子メール送信装置は、まず、指定された全アドレスのうち、Ｔｏ指定またはＣｃ指定された公開宛先に対する電子メールが作成され、次に、指示された全宛先のうち、Ｂｃｃ指定された秘匿宛先に対する電子メールが作成されるものである。
【特許文献１】特開２００７−３０６１８２号公報
【発明の開示】
【発明が解決しようとする課題】
【０００５】
近年、携帯電話機等の携帯端末が一般家庭に普及し、成人のみに限らず、未成年の子供までもが日常的に携帯電話機を持ち歩くようになってきた。未成年の子供が携帯電話機を持ち歩くことにより、親は携帯電話機を用いて子供と随時連絡がとれるようになり、子供の安全の確保がしやすくなった。
【０００６】
しかしその反面、携帯電話機を用いて複数の相手と個々に多くの情報がやり取りされるようになり、特に携帯電話機ではメールの送受信を手軽に行うことができ、また、メールでやり取りされた情報を簡単に削除することもできるため、未成年の子供にとって不利益な情報であっても、メールを用いて秘密裏にやり取りできてしまうという問題があった。
【０００７】
本発明は、上記課題を鑑みてなされたもので、例えばユーザが未成年の子供であった場合等に、ユーザがメールの送受信を行う際に、そのメールの内容に応じて特定のメールアドレス（例えば監督義務のある親等）に対して秘密裏に同様の内容のメールを送信することができる携帯端末、及びこの携帯端末のメール生成プログラムを提供することを目的とする。
【課題を解決するための手段】
【０００８】
上記課題を解決するために、本発明に係る携帯端末は、送信するメールのメール情報の入力を受け付けるメール受付手段と、前記メール受付手段により受け付けられたメール情報に、所定の語句が含まれているか否かを判断する判断手段と、前記判断手段により所定の語句が含まれているものと判断された場合、前記メール受付手段により受け付けられたメール情報のＢＣＣ送信先に所定のメールアドレスを設定する設定手段と、を備えたことを特徴とする。
【０００９】
また、本発明に係る携帯端末は、メールを受信するメール受信手段と、前記メール受信手段により受信されたメールのメール情報に、所定の語句が含まれているか否かを判断する判断手段と、前記判断手段により所定の語句が含まれているものと判断された場合、前記メール受信手段により受信されたメールと同様の内容のメールを所定のメールアドレスに対して送信する送信手段と、を備えたことを特徴とする。
【００１０】
また、本発明に係る携帯端末のメール生成プログラムは、送信するメールのメール情報の入力を受け付けるメール受付ステップと、前記メール受付ステップにて受け付けられたメール情報に、所定の語句が含まれているか否かを判断する判断ステップと、前記判断ステップにて所定の語句が含まれているものと判断された場合、前記メール受付ステップにて受け付けられたメール情報のＢＣＣ送信先に所定のメールアドレスを設定する設定ステップと、をコンピュータに行わせることを特徴とする。
【００１１】
また、本発明に係る携帯端末のメール生成プログラムは、メールを受信するメール受信ステップと、前記メール受信ステップにて受信したメールのメール情報に、所定の語句が含まれているか否かを判断する判断ステップと、前記判断ステップにて所定の語句が含まれているものと判断された場合、前記メール受信ステップにて受信したメールと同様の内容のメールを所定のメールアドレスに対して送信する送信ステップと、をコンピュータに行わせることを特徴とする。
【発明の効果】
【００１２】
本発明に係る携帯端末、及びこの携帯端末のメール生成プログラムによると、例えばユーザが未成年の子供であった場合等に、ユーザがメールの送受信を行う際に、そのメールの内容に応じて特定のメールアドレス（例えば監督義務のある親等）に対して秘密裏に同様の内容のメールを送信することが可能となる。
【発明を実施するための最良の形態】
【００１３】
本発明に係る携帯端末の実施形態について、添付図面を参照しながら説明する。なお、本発明に係る携帯端末として、複数の筐体が開閉自在に結合されてなるクラムシェル型の携帯電話機１Ａ、１Ｂ、１Ｃを例に挙げて説明する。
【００１４】
図１に、携帯電話機１Ａ、１Ｂ、１Ｃが適用されるネットワークシステム２の構成図を示す。ネットワークシステム２は、複数の携帯電話機１Ａ、１Ｂ、１Ｃ、…を備えている。また、このネットワークシステム２には、通信サービスの提供エリアを所望の大きさに分割したセル内にそれぞれ固定無線局である基地局３Ａ、３Ｂ、３Ｃ、…が設置されている。これらの基地局３Ａ、３Ｂ、３Ｃは電話網４に接続されていて、移動無線局である携帯電話機１Ａ、１Ｂ、１Ｃが例えばＷ−ＣＤＭＡ（Ｗｉｄｅｂａｎｄ−Ｃｏｄｅ  Ｄｉｖｉｓｉｏｎ  Ｍｕｌｔｉｐｌｅ  Ａｃｃｅｓｓ）方式と呼ばれる符号分割多元接続方式によって無線接続されており、複数の携帯電話機１Ａ、１Ｂ、１Ｃは、これらの基地局３Ａ、３Ｂ、３Ｃを介して相互に通話やデータ通信を行うことができる。
【００１５】
また電話網４は、ネットワーク５（インターネット、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、その他の各種ネットワークを含む）に接続されている。複数の携帯電話機１Ａ、１Ｂ、１Ｃは、基地局３Ａ、３Ｂ、３Ｃを介してネットワーク５にアクセスし、このネットワーク５を介して相互にデータ通信を行うことができる。
【００１６】
また、ネットワーク５にはメールサーバ６や複数の情報処理装置７が接続されていて、携帯電話機１Ａ、１Ｂ、１Ｃ間で、または携帯電話機１Ａ、１Ｂ、１Ｃと情報処理装置７間でメールの送受信が行われる際に、このメールサーバ６を介して行われる。
【００１７】
ここで、図２に示すように、携帯電話機１Ａが例えば子供（Ａ）のものであり、携帯電話機１Ｂが子供（Ａ）のメール相手（Ｂ）のものであり、携帯電話機１Ｃが子供（Ａ）の親（Ｃ）のものであるものとする。ネットワークシステム２は、子供（Ａ）が携帯電話機１Ａを用いてメール等でやり取りする情報を、親（Ｃ）が所持する携帯電話機１Ｃを用いて監視する機能を備えている。具体的には、携帯電話機１Ａは送信メール監視機能を備えていて、ネットワークシステム２において携帯電話機１Ａから携帯電話機１Ｂに対してメールを送信する際に、この送信メールの本文中に特定のキーワードが含まれているか否かを判断して、この特定のキーワードが含まれていた場合に、あらかじめ設定しておいた特定のメールアドレス（例えば携帯電話機１Ｃのメールアドレス）をＢＣＣ（Ｂｌｉｎｄ  Ｃａｒｂｏｎ  Ｃｏｐｙ）の送信先に付加した状態で、このメールを送信する。
【００１８】
例えば、未成年の子供（携帯電話機１Ａ）が発信する送信メールの内容に、親により設定された特定のキーワードが含まれている場合、メール相手先（携帯電話機１Ｂ）とは別に、親（携帯電話機１Ｃ）がＢＣＣにより子供（携帯電話機１Ａ）のメールを秘密裏に受信することができる。このように、子供（携帯電話機１Ａ）が発信するメールの内容を親（携帯電話機１Ｃ）が監視できるため、子供が犯罪や非行等に巻き込まれることを未然に防止できる。なお、送信先として付加するＢＣＣメールアドレスは、携帯電話機に限定されず、任意の端末（ＰＣ（Ｐｅｒｓｏｎａｌ  Ｃｏｍｐｕｔｅｒ）等の任意の情報処理装置６）のメールアドレスでも良い。
【００１９】
さらに、携帯電話機１Ａは受信メール監視機能を備えていて、ネットワークシステム２において携帯電話機１Ａが携帯電話機１Ｂからメールを受信する際に、この受信メールの本文中に特定のキーワードが含まれているか否かを判断して、この特定のキーワードが含まれていた場合に、あらかじめ設定しておいた特定のメールアドレス（例えば携帯電話機１Ｃのメールアドレス）に対して同様の内容のメールを送信する。
【００２０】
例えば、未成年の子供（携帯電話機１Ａ）が受信するメールの内容に、親により設定された特定のキーワードが含まれている場合、メール相手先（携帯電話機１Ａ）とは別に、親（携帯電話機１Ｃ）が子供（携帯電話機１Ａ）に届いたメールを秘密裏に受信することができる。このように、子供（携帯電話機１Ａ）が受信するメールの内容を親（携帯電話機１Ｃ）が監視できるため、子供が犯罪や非行等に巻き込まれることを未然に防止できる。なお、上述の通り、送信先として付加するＢＣＣメールアドレスは、携帯電話機に限定されず、任意の端末（ＰＣ（Ｐｅｒｓｏｎａｌ  Ｃｏｍｐｕｔｅｒ）等の任意の情報処理装置６）のメールアドレスでも良い。
【００２１】
携帯電話機１Ａ、１Ｂ、１Ｃは、図３及び図４に示すように、主に、矩形の板状の上筐体１０と、この上筐体１０とほぼ同形状をした下筐体１１とにより構成されていて、これらの上筐体１０及び下筐体１１は、閉じた状態において相互に一面を覆うように積層されている。上筐体１０及び下筐体１１は、ヒンジ部１２を挟むようにヒンジ結合されていて、上筐体１０は下筐体１１に対して、ヒンジ部１２を軸にして、図１及び図２のＸ方向に所定角度だけ回転自在なように形成されている。携帯電話機１Ａ、１Ｂ、１Ｃは、上筐体１０を下筐体１１に対して回転させることにより、閉じた状態から開いた状態に、あるいは開いた状態から閉じた状態に変形する。
【００２２】
上筐体１０の内面（下筐体１１に対面する側の面）には、文字や画像等を含んだ表示情報を表示するためのディスプレイ１３が設けられている。ディスプレイ１３は、例えば液晶パネルで形成された液晶ディスプレイ、または有機ＥＬ（Ｅｌｅｃｔｒｏ−Ｌｕｍｉｎｅｓｃｅｎｃｅ）パネルで形成された有機ＥＬディスプレイである。液晶パネルは、液晶に電圧を加えることにより液晶分子の向き（配向）を変化させ、この配向変化を利用して光のシャッターを実現して、バックライト等の光源から発せられた光を遮ったり透過させたりすることにより所定のデータを表示する表示パネルである。また、有機ＥＬパネルは、有機化合物中に注入された電子と正孔の再結合によって生じた励起子（エキシトン）によって発光する現象を利用してデータを表示する表示パネルである。また、上筐体１０の内面には、音声を出力するスピーカ１４が設けられている。
【００２３】
下筐体１１の内面（上筐体１０に対面する側の面）には、例えば、電源のＯＮ／ＯＦＦを切り替えるための電源キーや発呼処理を行うための発呼キー、数字や文字を入力するためのテンキー、メール機能やＷｅｂ閲覧機能等を起動するためのショートカットキー等からなる操作キー１５が設けられている。また下筐体１１の内面には、音声を集音するためのマイクロフォン１６が設けられている。
【００２４】
次に、送信メール監視機能及び受信メール監視機能を備えた携帯電話機１Ａの機能について、図５に示すブロック図を用いて説明する。携帯電話機１Ａは、図５に示すように、主制御部２０、電源回路部２１、操作入力制御部２２、表示制御部２３、音声制御部２４、通信制御部２５、記憶部２６、及びメール監視部２７が、バスによって相互に通信可能に接続されて構成されている。
【００２５】
主制御部２０は、様々な演算処理を行うＣＰＵ（Ｃｅｎｔｒａｌ  Ｐｒｏｃｅｓｓｉｎｇ  Ｕｎｉｔ）を具備し、携帯電話機１Ａの総括的な制御を行うとともに、様々な演算処理や制御処理等を行う。電源回路部２１は、ユーザによる操作キー１５を介した入力に基づいて電源のオン／オフ状態を切り替え、電源がオン状態の場合には電力供給源（バッテリ等）から各部に対して電力を供給して、携帯電話機１Ａを動作可能にする。
【００２６】
操作入力制御部２２は操作キー１５に対する入力インタフェースを備え、操作キー１５が有するいずれかのキーが押されたことを検知すると、押されたキーを示す信号を生成して主制御部２０に伝送する。表示制御部２３はディスプレイ１３に対する表示インタフェースを備え、主制御部２０の制御に基づいて、ディスプレイ１３に文字や画像等からなる画面を表示する。
【００２７】
音声制御部２４は、主制御部２０の制御に基づいて、マイクロフォン１６で集音された音声からアナログ音声信号を生成し、このアナログ音声信号をデジタル音声信号に変換する。また音声制御部２４は、デジタル音声信号を取得すると、主制御部２０の制御に基づいて、このデジタル音声信号をアナログ音声信号に変換し、スピーカ１４から音声として出力する。
【００２８】
通信制御部２５は、主制御部２０の制御に基づいて、基地局３Ａ、３Ｂ、３Ｃからアンテナ２５ａを介して受信した受信信号をスペクトラム逆拡散処理してデータを復元する。このデータは、主制御部２０の指示により、音声制御部２４に伝送されてスピーカ１４から出力されたり、表示制御部２３に伝送されてディスプレイ１３に表示されたり、または記憶部２６に記録されたりする。また通信制御部２５は、主制御部２０の制御に基づいて、マイクロフォン１７で集音された音声データや操作キー１６を介して入力されたデータや記憶部２６に記憶されたデータを取得すると、これらのデータに対してスペクトラム拡散処理を行い、基地局３Ａ、３Ｂ、３Ｃに対してアンテナ２５ａを介して送信する。
【００２９】
記憶部２６は、主制御部２０が行う処理について、処理プログラムや処理に必要なデータ等を格納するＲＯＭ（Ｒｅａｄ  Ｏｎｌｙ  Ｍｅｍｏｒｙ）やハードディスク、不揮発性メモリ、データベース、主制御部２０が処理を行う際に使用されるデータを一時的に記憶するＲＡＭ（Ｒａｎｄｏｍ  Ａｃｃｅｓｓ  Ｍｅｍｏｒｙ）等から構成される。また、メール監視部２７が後述する設定処理や送信メール監視処理及び受信メール監視処理を行う際の処理プログラムは、例えばＲＯＭに記憶されているものとする。
【００３０】
メール監視部２７は、メール監視情報４０が格納されるデータベース２７ａを備えている。メール監視情報４０は、携帯電話機１Ａがメールを送信するときに使用される情報であり、少なくとも、このメール監視情報４０にアクセスするためのパスワードを示す管理者パスワード情報４１と、携帯電話機１Ａがメールを送受信するときに同様の内容のメールを送信するためのメールアドレスを示すＢＣＣアドレス情報４２と、携帯電話機１Ａがメールを送信するときに、そのメールの内容を監視するためのキーワードを示すキーワード情報４３とを含んでいる。
【００３１】
このメール監視情報４０は、例えば図６に示すように、管理者パスワード情報４１として「１２３４５６」が、ＢＣＣアドレス情報４２として携帯電話機１Ｃのメールアドレスである「ｃ＠ｘｘｘ．ｎｅ．ｊｐ」が、キーワード情報４３として「酒」、「煙草」、「遊び」、「リストカット」等の単語が設定されている。
【００３２】
メール監視部２７は、携帯電話機１Ａが通信制御部２５を介してメールを送信する際に、この送信メールのタイトルや本文に、キーワード情報４３として設定されている語句・単語が含まれているか否かを判断し、含まれていた場合に、ＢＣＣアドレス情報４３に登録されているメールアドレスをＢＣＣに加えて、このメールを送信する送信メール監視処理を行う。
【００３３】
さらにメール監視部２７は、携帯電話機１Ａが通信制御部２５を介してメールを受信する際に、この受信メールのタイトルや本文に、キーワード情報４３として設定されている語句・単語が含まれているか否かを判断し、含まれていた場合に、ＢＣＣアドレス情報４３に登録されているメールアドレスに対して同様の内容のメールを送信する受信メール監視処理を行う。
【００３４】
またメール監視部２７は、ユーザがメール監視情報４０にアクセスする際に、ユーザに対してパスワードの入力を促し、管理者パスワード情報４１に設定されたパスワードが入力された場合にのみ、メール監視情報４０へのアクセスを許可する。これにより、例えば携帯電話機１Ａの持ち主である子供が、親の承諾を得ずにメール監視情報４０を書き換えてしまうことが防止される。
【００３５】
同様に、携帯電話機１Ｂ、１Ｃの機能について、図７に示すブロック図を用いて説明する。携帯電話機１Ｂ、１Ｃは、図７に示すように、主制御部２０、電源回路部２１、操作入力制御部２２、表示制御部２３、音声制御部２４、通信制御部２５、及び記憶部２６が、バスによって相互に通信可能に接続されて構成されている。なお、携帯電話機１Ｂ、１Ｃは、携帯電話機１Ａとほぼ等しい構成を備えているが、メール監視部２７に関しては、備えていても備えていなくても良い。
【００３６】
ここで、送信メール監視機能を備えた携帯電話機１Ａがメール監視情報４０を設定する設定処理の手順を、図１１に示すフローチャートに基づいて説明する。以下、例えば「ステップＳ１０１」を「Ｓ１０１」のように、「ステップ」の語句を省略して説明する。なお、パスワードを知っている管理者により携帯電話機１Ａが操作された場合にのみ、この設定処理が行われる。
【００３７】
ユーザが携帯電話機１Ａにおいてメール監視情報４０にアクセスしようとした際、携帯電話機１Ａのメール監視部２７は、例えばディスプレイ１３に入力欄を表示する等して、ユーザに対して管理者パスワードの入力を促す（Ｓ１０１）。そしてユーザは、操作キー１５を介してパスワードの入力を行う。
【００３８】
ステップＳ１０１にてパスワードが入力されたら、メール監視部２７は、パスワードの認証を行う（Ｓ１０３）。すなわちメール監視部２７は、データベース２７ａからメール監視情報４０の管理者パスワード情報４１を取得する。そしてメール監視部２７は、入力されたパスワードが管理者パスワード情報４１に設定されているパスワードと一致したか否かを判断する。
【００３９】
パスワードが一致しなかった場合（Ｓ１０３のＮｏ）は、メール監視部２７は、パスワード認証に失敗したため、ユーザがメール監視情報４０にアクセスする権限を有していないものとして、設定を行わずに、そのまま設定処理を終了する。
【００４０】
パスワードが一致した場合（Ｓ１０３のＹｅｓ）には、メール監視部２７は、ユーザがメール監視情報４０にアクセスする権限を有しているものとして、ディスプレイ１３に操作画面を表示する等して、ユーザに対して操作項目の選択を促す（Ｓ１０５）。操作項目は、例えばメール送信の際のキーワードを設定するキーワード設定、ＢＣＣアドレスを設定するＢＣＣアドレス設定、管理者パスワードを設定する管理者パスワード設定、設定処理を終了する設定終了がある。ユーザは、操作キー１５を介して、これらの操作項目のうちのいずれかを選択する。
【００４１】
ユーザにより操作項目が選択されると、メール監視部２７は、選択された項目がキーワード設定であるか否かを判断する（Ｓ１０７）。選択された項目がキーワード設定であった場合（Ｓ１０７のＹｅｓ）は、メール監視部２７は、ディスプレイ１３に入力欄を表示する等して、ユーザに対してキーワードの入力を促す（Ｓ１０９）。ユーザは、操作キー１５を介してキーワードを入力する。
【００４２】
ユーザによりキーワードが入力されると、メール監視部２７は、この入力されたキーワードをキーワード情報４３として設定する（Ｓ１１１）。ユーザにより例えば「酒」、「煙草」、「遊び」、「リストカット」等の単語が入力された場合は、図６に示すように、メール監視情報４０のキーワード情報４３に「酒、煙草、遊び、リストカット、…」のように設定される。
【００４３】
選択された項目がキーワード設定ではなかった場合（Ｓ１０７のＮｏ）は、メール監視部２７は、ユーザにより選択された項目がＢＣＣアドレス設定であるか否かを判断する（Ｓ１１３）。選択された項目がＢＣＣアドレス設定であった場合（Ｓ１１３のＹｅｓ）は、メール監視部２７は、ディスプレイ１３に入力欄を表示する等して、ユーザに対してメールアドレスの入力を促す（Ｓ１１５）。ユーザは、操作キー１５を介してメールアドレスを入力する。
【００４４】
ユーザによりメールアドレスが入力されると、メール監視部２７は、この入力されたメールアドレスをＢＣＣアドレス情報４２として設定する（Ｓ１１７）。ユーザにより例えば「ｃ＠ｘｘｘ．ｎｅ．ｊｐ」のメールアドレスが入力された場合は、図６に示すように、メール監視情報４０のＢＣＣアドレス情報４２に「ｃ＠ｘｘｘ．ｎｅ．ｊｐ」のように設定される。
【００４５】
選択された項目がＢＣＣアドレス設定ではなかった場合（Ｓ１１３のＮｏ）は、メール監視部２７は、ユーザにより選択された項目が管理者パスワード設定であるか否かを判断する（Ｓ１１９）。選択された項目が管理者パスワード設定であった場合（Ｓ１１９のＹｅｓ）は、メール監視部２７は、ディスプレイ１３に入力欄を表示する等して、ユーザに対してパスワードの入力を促す（Ｓ１２１）。ユーザは、操作キー１５を介してパスワードを入力する。
【００４６】
ユーザによりパスワードが入力されると、メール監視部２７は、この入力されたパスワードを管理者パスワード情報４１として設定する（Ｓ１２３）。ユーザにより例えば「１２３４５６」のパスワードが入力された場合は、図６に示すように、メール監視情報４０の管理者パスワード情報４１に「１２３４５６」のように設定される。
【００４７】
選択された項目が管理者パスワード設定ではなかった場合、すなわち設定終了が選択された場合（Ｓ１１９のＮｏ）は、メール監視部２７は、設定処理を終了する。このようにして携帯電話機１Ａは、適正な管理者パスワードが入力された場合にのみ、管理者パスワード情報４１やＢＣＣアドレス情報４２、キーワード情報４３へのアクセスを許可し、これらの情報が新たに入力された場合に、入力された情報をメール監視情報４０として設定する。
【００４８】
次に、携帯電話機１Ａがメールを送信する際に、ステップＳ１０１乃至Ｓ１２３の処理によって設定されたメール監視情報４０に基づいて、この送信メールの内容を監視する送信メール監視処理を行う際の手順を、図９に示すフローチャートに基づいて説明する。
【００４９】
主制御部２０は、ユーザによりメールの送信先やタイトルや本文等のメール情報が入力された後、ユーザの操作キー１５を介した指示により、メール情報に基づいてメールを送信する準備を行う（Ｓ２０１）。この際、メール監視部２７は、ＢＣＣアドレスが設定されているか否かを判断する（Ｓ２０２）。このときメール監視部２７は、ＢＣＣアドレス情報４２にメールアドレスが登録されている場合に、ＢＣＣアドレスが設定されているものと判断する。
【００５０】
ＢＣＣアドレスが設定されていた場合（Ｓ２０２のＹｅｓ）は、メール監視部２７は、ステップＳ２０１にて作成されたメールのタイトルや本文に対して、キーワードチェックを行う（Ｓ２０３）。すなわちメール監視部２７は、データ２７ａからキーワード情報４３を取得して、ステップＳ２０１にて送信されるメールのタイトルや本文に、キーワード情報４３に設定されているキーワードが含まれているか否かを判断する（Ｓ２０５）。
【００５１】
送信メールのタイトルや本文にキーワードが含まれていた場合（Ｓ２０５のＹｅｓ）はに、メール監視部２７は、送信メールに対してＢＣＣ送信先を設定する（Ｓ２０７）。このときメール監視部２７は、データベース２７ａからＢＣＣアドレス情報４２を取得して、このＢＣＣアドレス情報４２に設定されているメールアドレスを、送信メールのＢＣＣ送信先とする。
【００５２】
そして主制御部２０は、ステップＳ２０１にて作成されたメールを、通信制御部２５を介して基地局３Ａ、３Ｂ、３Ｃに対して送信する（Ｓ２０９）。なお、ステップＳ２０７にて設定されたＢＣＣ送信先に関する情報は、携帯電話機１Ａのディスプレイ１３に表示されず、携帯電話機１Ａのユーザは、メールがＢＣＣ送信先に送信されたことを携帯電話機１Ａでは確認できないようにすると良い。また、ＢＣＣアドレスが設定されていない場合（Ｓ２０２のＮｏ）も同様に、ステップＳ２０１にて作成されたメールを、通信制御部２５を介して基地局３Ａ、３Ｂ、３Ｃに対して送信する（Ｓ２０９）。
【００５３】
ステップＳ１１１にてキーワード「遊び」が設定されていて、ステップＳ２０５にて送信メールのタイトルや本文にキーワード「遊び」が含まれていた場合には、図１０に示すように、送信メールＢＣＣ送信先に親（Ｃ）の携帯電話機１Ｃのメールアドレスが設定されて、子供（Ａ）の携帯電話機１Ａがメール相手（Ｂ）の携帯電話機１Ｂにメールを送信するときに、親（Ｃ）の携帯電話機１Ｃに同様の内容のメールが秘密裏に送信される。
【００５４】
また、ステップＳ１１１にてキーワード「遊び」が設定されていて、ステップＳ２０５にて送信メールのタイトルや本文にキーワード「遊び」が含まれていなかった場合には、図１１に示すように、子供（Ａ）の携帯電話機１Ａがメール相手（Ｂ）の携帯電話機１Ｂにメールを送信するときに、通常通り、親（Ｃ）の携帯電話機１Ｃには同様の内容のメールが送信されずに、本来のメールの送信先である携帯電話機１Ｂにのみ送信される。
【００５５】
このようにして携帯電話機１Ａは、メールを送信する際に、送信メールのタイトルや本文に、データベース２７ａのキーワード情報４３として記憶されているキーワードが含まれているかどうかを判断し、含まれていた場合には、この送信メールのＢｃｃ送信先に、データベース２７ａのＢＣＣアドレス情報４２として記憶されているメールアドレスを設定して、このメールを送信する。
【００５６】
なお、メール監視情報４０のキーワード情報４３にキーワードが設定されていなかった場合には、ステップＳ２０３にてキーワードが含まれているものと判断されて、ステップＳ２０５にて、この送信メールのＢｃｃ送信先に、ＢＣＣアドレス情報４２として記憶されているメールアドレスが設定されるようにしても良い。これにより、親（Ｃ）が、子供（Ａ）の携帯電話機１Ａから送信されるメールをすべて監視したい場合には、メール監視情報４０のキーワード情報４３にキーワードを設定しないことにより、全ての送信メールを監視することができる。
【００５７】
次に、携帯電話機１Ａがメールを受信する際に、ステップＳ１０１乃至Ｓ１２３の処理によって設定されたメール監視情報４０に基づいて、この受信メールの内容を監視する受信メール監視処理を行う際の手順を、図１２に示すフローチャートに基づいて説明する。
【００５８】
主制御部２０は、外部の通信機器（例えば携帯電話機１Ｂ）から、携帯電話機１Ａ宛のメールを着信した際に、このメールを受信する（Ｓ３０１）。この際、メール監視部２７は、ＢＣＣアドレスが設定されているか否かを判断する（Ｓ３０３）。このときメール監視部２７は、ＢＣＣアドレス情報４２にメールアドレスが登録されている場合に、ＢＣＣアドレスが設定されているものと判断する。ＢＣＣアドレスが設定されていない場合（Ｓ３０３のＮｏ）は、そのまま受信メール監視処理を終了する。
【００５９】
ＢＣＣアドレスが設定されていた場合（Ｓ３０３のＹｅｓ）は、メール監視部２７は、メールを監視するためのキーワードが設定されているか否かを判断する（Ｓ３０５）。この際、主制御部２０は、キーワード情報４３が登録されている場合に、キーワードが設定されているものと判断する。キーワードが設定されていた場合（Ｓ３０５のＹｅｓ）は、メール監視部２７は、ステップＳ３０１にて受信されたメールのタイトルや本文に対して、キーワードチェックを行う（Ｓ３０７）。すなわちメール監視部２７は、データ２７ａからキーワード情報４３を取得して、ステップＳ３０１にて受信されたメールのタイトルや本文に、キーワード情報４３に設定されているキーワードが含まれているか否かを判断する。
【００６０】
受信メールのタイトルや本文にキーワードが含まれていた場合（Ｓ３０７のＹｅｓ）、あるいはキーワードが設定されていなかった場合（Ｓ３０５のＮｏ）は、メール監視部２７は、ステップＳ３０１にて受信したメールを、ＢＣＣ転送先のメールアドレスに対して転送する（Ｓ３０９）。このときメール監視部２７は、データベース２７ａからＢＣＣアドレス情報４２を取得して、このＢＣＣアドレス情報４２に設定されているメールアドレスを、送信メールのＢＣＣ送信先とする。なお、ステップＳ３０９にて設定されたＢＣＣ送信先に関する情報は、携帯電話機１Ａのディスプレイ１３に表示されず、携帯電話機１Ａのユーザは、受信メールがＢＣＣ送信先に転送されたことを携帯電話機１Ａでは確認できないようにすると良い。
【００６１】
ステップＳ１１１にてキーワード「遊び」が設定されていて、ステップＳ３０７にて受信メールのタイトルや本文にキーワード「遊び」が含まれていた場合には、図１３に示すように、子供（Ａ）の携帯電話機１Ａがメール相手（Ｂ）の携帯電話機１Ｂからメールを受信したときに、親（Ｃ）の携帯電話機１Ｃに同様の内容のメールが秘密裏に転送される。
【００６２】
また、ステップＳ１１１にてキーワード「遊び」が設定されていて、ステップＳ３０７にて送信メールのタイトルや本文にキーワード「遊び」等が含まれていなかった場合には、図１４に示すように、子供（Ａ）の携帯電話機１Ａがメール相手（Ｂ）の携帯電話機１Ｂからメールを受信するときに、通常通り、親（Ｃ）の携帯電話機１Ｃには同様の内容のメールが転送されずに、本来のメールの送信先である携帯電話機１Ａのみが受信する。
【００６３】
このようにして携帯電話機１Ａは、メールを受信する際に、受信メールのタイトルや本文に、データベース２７ａのキーワード情報４３として記憶されているキーワードが含まれているかどうかを判断し、含まれていた場合には、この受信メールを、データベース２７ａのＢＣＣアドレス情報４２として記憶されているメールアドレスに対して転送する。
【００６４】
また携帯電話機１Ａは、メール監視情報４０のキーワード情報４３にキーワードが設定されていなかった場合には、ステップＳ３０７におけるキーワードチェックを行わずに、ステップＳ３０９にて、全ての受信メールが親（Ｃ）の携帯電話機１Ｃに転送される。これにより、親（Ｃ）が、子供（Ａ）の携帯電話機１Ａが受信するメールをすべて監視したい場合には、メール監視情報４０のキーワード情報４３にキーワードを設定しないことにより、全ての受信メールを監視することができる。
【００６５】
携帯電話機１ＡがＢｃｃ機能を備えていて、子供が携帯電話機１Ａを用いて発信するメールを、メールの内容に応じて親に対してＢｃｃ送信すること、及び、子供が携帯電話機１Ａを用いて受信するメールの内容を、メールの内容に応じて親に対して転送することで、子供がやり取りしているメールを必要に応じて親が携帯電話機１Ｃを用いて秘密裏に受け取ることができる。これにより、子供がやり取りしているメールの内容に基づいて、親は子供が犯罪に巻き込まれることを未然に防止することができる。
【００６６】
本発明に係る携帯端末（携帯電話機１Ａ）によると、予めキーワードを設定しておき、メール送信の際にメールのタイトルや本文にそのキーワードが含まれていた場合に、予め設定されたメールアドレスをその送信メールのＢｃｃ送信先に設定するとともに、メール受信の際にメールのタイトルや本文にそのキーワードが含まれていた場合に、予め設定されたメールアドレスに同様の内容のメールを送信することで、例えばユーザが未成年の子供であった場合等に、監督義務のある親がそのメールの内容に応じて秘密裏にメールの内容を確認することが可能となる。
【００６７】
なお、本発明の携帯端末が適用されるネットワークシステム２では、既存のインフラ（インターネット網、メールサーバ）の変更が必要とされず、かつ、受信先になり得る端末（携帯電話機１Ｂ、１Ｃや情報処理装置６等）のメールクライアントソフトの追加・変更の必要もない。よって、メールの送信元となる携帯電話機１Ａにおいて、メールクライアントソフトに本システムの処理が実装されるのみで良い。
【００６８】
本発明の説明として、携帯電話機１Ａについて説明したが、これに限らず、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔｓ）、ＰＣ（Ｐｅｒｓｏｎａｌ  Ｃｏｍｐｕｔｅｒ）、音楽プレイヤー、デジタルカメラ、ゲーム機等のメール送受信処理を行う携帯端末であれば任意の携帯端末であって良い。
【００６９】
また、本発明の実施形態において説明した一連の処理は、ソフトウェアにより実行させることもできるが、ハードウェアにより実行させることもできる。さらに、本発明の実施形態では、フローチャートのステップは、記載された順序に沿って時系列的に行われる処理の例を示したが、必ずしも時系列的に処理されなくとも、並列的あるいは個別実行される処理をも含むものである。
【図面の簡単な説明】
【００７０】
【図１】本発明に係る携帯端末（携帯電話機）が適用されるネットワークシステムの構成図。
【図２】本発明に係る携帯端末（携帯電話機）における送信メール監視処理を説明するためのネットワークシステムの概略図。
【図３】（Ａ）は、本発明に係る電子機器（携帯電話機）の開いた状態を示す正面図、（Ｂ）は、本発明に係る携帯電話機の開いた状態を示す側面図。
【図４】（Ａ）は、本発明に係る電子機器（携帯電話機）の閉じた状態を示す正面図、（Ｂ）は、本発明に係る電子機器（携帯電話機）の閉じた状態を示す側面図。
【図５】本発明に係る携帯端末（携帯電話機）の機能ブロック図。
【図６】メール監視情報のデータ構造を示す図。
【図７】本発明に係る携帯端末（携帯電話機）の機能ブロック図。
【図８】本発明に係る携帯端末（携帯電話機）がメール監視情報の設定処理を行う際の手順を示すフローチャート。
【図９】本発明に係る携帯端末（携帯電話機）が送信メール監視処理を行う際の手順を示すフローチャート。
【図１０】本発明に係る携帯端末（携帯電話機）が送信メール監視処理を行う際に、送信メールにキーワードが含まれている場合の例を示す概略図。
【図１１】本発明に係る携帯端末（携帯電話機）が送信メール監視処理を行う際に、送信メールにキーワードが含まれていない場合の例を示す概略図。
【図１２】本発明に係る携帯端末（携帯電話機）が受信メール監視処理を行う際の手順を示すフローチャート。
【図１３】本発明に係る携帯端末（携帯電話機）が受信メール監視処理を行う際に、受信メールにキーワードが含まれている場合の例を示す概略図。
【図１４】本発明に係る携帯端末（携帯電話機）が受信メール監視処理を行う際に、受信メールにキーワードが含まれていない場合の例を示す概略図。
【符号の説明】
【００７１】
１Ａ、１Ｂ、１Ｃ…携帯電話機，２…ネットワークシステム，３Ａ、３Ｂ、３Ｃ…基地局，４…電話網，５…ネットワーク，６…メールサーバ，７…情報処理装置，１０…上筐体，１１…下筐体，１２…ヒンジ部，１３…ディスプレイ，１４…スピーカ，１５…操作キー，１６…マイクロフォン，２０…主制御部，２１…電源回路部，２２…操作入力制御部，２３…表示制御部，２４…音声制御部，２５…通信制御部，２５ａ…アンテナ，２６…記憶部，２７…メール監視部，２７ａ…データベース，４０…メール監視情報，４１…管理者パスワード情報，４２…ＢＣＣアドレス情報，４３…キーワード情報。
【図１】
2010140336.tif 000003
【図２】
2010140336.tif 000004
【図３】
2010140336.tif 000005
【図４】
2010140336.tif 000006
【図５】
2010140336.tif 000007
【図６】
2010140336.tif 000008
【図７】
2010140336.tif 000009
【図８】
2010140336.tif 000010
【図９】
2010140336.tif 000011
【図１０】
2010140336.tif 000012
【図１１】
2010140336.tif 000013
【図１２】
2010140336.tif 000014
【図１３】
2010140336.tif 000015
【図１４】
2010140336.tif 000016
【手続補正書】
【提出日】平成21年3月26日(2009.3.26)
【手続補正１】
【補正対象書類名】特許請求の範囲
【補正対象項目名】全文
【補正方法】変更
【補正の内容】
【特許請求の範囲】
【請求項１】
送信するメールのメール情報の入力を受け付けるメール受付手段と、
前記メール受付手段により受け付けられたメール情報に、所定の語句が含まれているか否かを判断する判断手段と、
前記判断手段により所定の語句が含まれているものと判断された場合、前記メール受付手段により受け付けられたメール情報のＢＣＣ送信先に所定のメールアドレスを設定する設定手段と、
を備えたことを特徴とする携帯端末。
【請求項２】
メールを受信するメール受信手段と、
前記メール受信手段により受信されたメールのメール情報に、所定の語句が含まれているか否かを判断する判断手段と、
前記判断手段により所定の語句が含まれているものと判断された場合、前記メール受信手段により受信されたメールと同様の内容のメールを所定のメールアドレスに対して送信する送信手段と、
前記送信手段による送信に関する情報をユーザに対して秘匿する秘匿手段と、
を備えたことを特徴とする携帯端末。
【請求項３】
語句の入力を受け付ける語句受付手段を備え、
前記判断手段は、メール情報に、前記語句受付手段により受け付けられた語句が含まれているか否かを判断することを特徴とする請求項１または２記載の携帯端末。
【請求項４】
パスワードを記憶する記憶手段と、
パスワードの入力を受け付けるパスワード受付手段と、を備え、
前記語句受付手段は、前記パスワード受付手段により受け付けられたパスワードが前記記憶手段により記憶されているパスワードと同一であった場合に、語句の入力を受け付けることを特徴とする請求項３記載の携帯端末。
【請求項５】
前記判断手段は、前記語句受付手段により語句が受け付けられていない場合、所定の語句が含まれているものと判断することを特徴とする請求項３記載の携帯端末。
【請求項６】
送信するメールのメール情報の入力を受け付けるメール受付ステップと、
前記メール受付ステップにて受け付けられたメール情報に、所定の語句が含まれているか否かを判断する判断ステップと、
前記判断ステップにて所定の語句が含まれているものと判断された場合、前記メール受付ステップにて受け付けられたメール情報のＢＣＣ送信先に所定のメールアドレスを設定する設定ステップと、
をコンピュータに行わせることを特徴とする携帯端末のメール生成プログラム。
【請求項７】
メールを受信するメール受信ステップと、
前記メール受信ステップにて受信したメールのメール情報に、所定の語句が含まれているか否かを判断する判断ステップと、
前記判断ステップにて所定の語句が含まれているものと判断された場合、前記メール受信ステップにて受信したメールと同様の内容のメールを、ユーザに対して秘匿しつつ所定のメールアドレスに対して送信する送信ステップと、
をコンピュータに行わせることを特徴とする携帯端末のメール生成プログラム。
【請求項８】
前記判断ステップにて判断を行う以前に、語句の入力を受け付ける語句受付ステップをコンピュータに行わせるとともに、
前記判断ステップにて、メール情報に、前記語句受付ステップにて受け付けられた語句が含まれているか否かを判断することを特徴とする請求項６または７記載のメール生成プログラム。
【請求項９】
前記語句受付ステップにて語句の入力を受け付ける以前に、パスワードの入力を受け付けるパスワード受付ステップをコンピュータに行わせるとともに、
前記語句受付ステップにて、前記パスワード受付ステップにて受け付けられたパスワードが所定のパスワードと同一であった場合に、語句の入力を受け付けることを特徴とする請求項８記載のメール生成プログラム。
【請求項１０】
前記判断ステップにて、前記語句受付ステップにて語句が受け付けられていない場合、所定の語句が含まれているものと判断することを特徴とする請求項８記載のメール生成プログラム。
【手続補正２】
【補正対象書類名】明細書
【補正対象項目名】０００９
【補正方法】変更
【補正の内容】
【０００９】
また、本発明に係る携帯端末は、メールを受信するメール受信手段と、前記メール受信手段により受信されたメールのメール情報に、所定の語句が含まれているか否かを判断する判断手段と、前記判断手段により所定の語句が含まれているものと判断された場合、前記メール受信手段により受信されたメールと同様の内容のメールを所定のメールアドレスに対して送信する送信手段と、前記送信手段による送信に関する情報をユーザに対して秘匿する秘匿手段と、を備えたことを特徴とする。
【手続補正３】
【補正対象書類名】明細書
【補正対象項目名】００１１
【補正方法】変更
【補正の内容】
【００１１】
また、本発明に係る携帯端末のメール生成プログラムは、メールを受信するメール受信ステップと、前記メール受信ステップにて受信したメールのメール情報に、所定の語句が含まれているか否かを判断する判断ステップと、前記判断ステップにて所定の語句が含まれているものと判断された場合、前記メール受信ステップにて受信したメールと同様の内容のメールを、ユーザに対して秘匿しつつ所定のメールアドレスに対して送信する送信ステップと、をコンピュータに行わせることを特徴とする。
【手続補正書】
【提出日】平成21年7月10日(2009.7.10)
【手続補正１】
【補正対象書類名】特許請求の範囲
【補正対象項目名】全文
【補正方法】変更
【補正の内容】
【特許請求の範囲】
【請求項１】
パスワードを記憶する記憶手段と、
パスワードの入力を受け付けるパスワード受付手段と、
前記パスワード受付手段により受け付けられたパスワードが前記記憶手段により記憶されているパスワードと同一であった場合に、語句の入力を受け付ける語句受付手段と、
送信するメールのメール情報の入力を受け付けるメール受付手段と、
前記メール受付手段により受け付けられたメール情報に、前記語句受付手段により受け付けられた語句が含まれているか否かを判断する判断手段と、
前記判断手段により、前記語句受付手段により受け付けられた語句が含まれているものと判断された場合、前記メール受付手段により受け付けられたメール情報のＢＣＣ送信先に所定のメールアドレスを設定する設定手段と、
前記設定手段による設定に関する情報をユーザに対して秘匿する秘匿手段と、
を備えたことを特徴とする携帯端末。
【請求項２】
パスワードを記憶する記憶手段と、
パスワードの入力を受け付けるパスワード受付手段と、
前記パスワード受付手段により受け付けられたパスワードが前記記憶手段により記憶されているパスワードと同一であった場合に、語句の入力を受け付ける語句受付手段と、
メールを受信するメール受信手段と、
前記メール受信手段により受信されたメールのメール情報に、前記語句受付手段により受け付けられた語句が含まれているか否かを判断する判断手段と、
前記判断手段により、前記語句受付手段により受け付けられた語句が含まれているものと判断された場合、前記メール受信手段により受信されたメールと同様の内容のメールを所定のメールアドレスに対して送信する送信手段と、
前記送信手段による送信に関する情報をユーザに対して秘匿する秘匿手段と、
を備えたことを特徴とする携帯端末。
【請求項３】
前記判断手段は、前記語句受付手段により語句が受け付けられていない場合、前記語句受付手段により受け付けられた語句が含まれているものと判断することを特徴とする請求項１または２記載の携帯端末。
【請求項４】
パスワードの入力を受け付けるパスワード受付ステップと、
前記パスワード受付手段により受け付けられたパスワードが所定のパスワードと同一であった場合に、語句の入力を受け付ける語句受付ステップと、
送信するメールのメール情報の入力を受け付けるメール受付ステップと、
前記メール受付ステップにて受け付けられたメール情報に、前記語句受付ステップにて受け付けられた語句が含まれているか否かを判断する判断ステップと、
前記判断ステップにて、前記語句受付ステップにて受け付けられた語句が含まれているものと判断された場合、前記メール受付ステップにて受け付けられたメール情報のＢＣＣ送信先に所定のメールアドレスを設定するとともに、設定に関する情報をユーザに対して秘匿する設定ステップと、
をコンピュータに行わせることを特徴とする携帯端末のメール生成プログラム。
【請求項５】
パスワードの入力を受け付けるパスワード受付ステップと、
前記パスワード受付手段により受け付けられたパスワードが所定のパスワードと同一であった場合に、語句の入力を受け付ける語句受付ステップと、
メールを受信するメール受信ステップと、
前記メール受信ステップにて受信したメールのメール情報に、前記語句受付ステップにて受け付けられた語句が含まれているか否かを判断する判断ステップと、
前記判断ステップにて、前記語句受付ステップにて受け付けられた語句が含まれているものと判断された場合、前記メール受信ステップにて受信したメールと同様の内容のメールを所定のメールアドレスに対して送信するとともに、送信に関する情報をユーザに対して秘匿する送信ステップと、
をコンピュータに行わせることを特徴とする携帯端末のメール生成プログラム。
【請求項６】
前記判断ステップにて、前記語句受付ステップにて語句が受け付けられていない場合、前記語句受付ステップにて受け付けられた語句が含まれているものと判断することを特徴とする請求項４または５記載の携帯端末のメール生成プログラム。
【手続補正２】
【補正対象書類名】明細書
【補正対象項目名】０００８
【補正方法】変更
【補正の内容】
【０００８】
また、本発明に係る携帯端末は、パスワードを記憶する記憶手段と、パスワードの入力を受け付けるパスワード受付手段と、前記パスワード受付手段により受け付けられたパスワードが前記記憶手段により記憶されているパスワードと同一であった場合に、語句の入力を受け付ける語句受付手段と、送信するメールのメール情報の入力を受け付けるメール受付手段と、前記メール受付手段により受け付けられたメール情報に、前記語句受付手段により受け付けられた語句が含まれているか否かを判断する判断手段と、前記判断手段により、前記語句受付手段により受け付けられた語句が含まれているものと判断された場合、前記メール受付手段により受け付けられたメール情報のＢＣＣ送信先に所定のメールアドレスを設定する設定手段と、前記設定手段による設定に関する情報をユーザに対して秘匿する秘匿手段と、を備えたことを特徴とする。
【手続補正３】
【補正対象書類名】明細書
【補正対象項目名】０００９
【補正方法】変更
【補正の内容】
【０００９】
また、本発明に係る携帯端末は、パスワードを記憶する記憶手段と、パスワードの入力を受け付けるパスワード受付手段と、前記パスワード受付手段により受け付けられたパスワードが前記記憶手段により記憶されているパスワードと同一であった場合に、語句の入力を受け付ける語句受付手段と、送信するメールのメール情報の入力を受け付けるメール受付手段と、前記メール受付手段により受け付けられたメール情報に、前記語句受付手段により受け付けられた語句が含まれているか否かを判断する判断手段と、前記判断手段により、前記語句受付手段により受け付けられた語句が含まれているものと判断された場合、前記メール受付手段により受け付けられたメール情報のＢＣＣ送信先に所定のメールアドレスを設定する設定手段と、前記設定手段による設定に関する情報をユーザに対して秘匿する秘匿手段と、を備えたことを特徴とする。
【手続補正４】
【補正対象書類名】明細書
【補正対象項目名】００１０
【補正方法】変更
【補正の内容】
【００１０】
また、本発明に係る携帯端末のメール生成プログラムは、パスワードの入力を受け付けるパスワード受付ステップと、前記パスワード受付手段により受け付けられたパスワードが所定のパスワードと同一であった場合に、語句の入力を受け付ける語句受付ステップと、送信するメールのメール情報の入力を受け付けるメール受付ステップと、前記メール受付ステップにて受け付けられたメール情報に、前記語句受付ステップにて受け付けられた語句が含まれているか否かを判断する判断ステップと、前記判断ステップにて、前記語句受付ステップにて受け付けられた語句が含まれているものと判断された場合、前記メール受付ステップにて受け付けられたメール情報のＢＣＣ送信先に所定のメールアドレスを設定するとともに、設定に関する情報をユーザに対して秘匿する設定ステップと、をコンピュータに行わせることを特徴とする。
【手続補正５】
【補正対象書類名】明細書
【補正対象項目名】００１１
【補正方法】変更
【補正の内容】
【００１１】
また、本発明に係る携帯端末のメール生成プログラムは、パスワードの入力を受け付けるパスワード受付ステップと、前記パスワード受付手段により受け付けられたパスワードが所定のパスワードと同一であった場合に、語句の入力を受け付ける語句受付ステップと、メールを受信するメール受信ステップと、前記メール受信ステップにて受信したメールのメール情報に、前記語句受付ステップにて受け付けられた語句が含まれているか否かを判断する判断ステップと、前記判断ステップにて、前記語句受付ステップにて受け付けられた語句が含まれているものと判断された場合、前記メール受信ステップにて受信したメールと同様の内容のメールを所定のメールアドレスに対して送信するとともに、送信に関する情報をユーザに対して秘匿する送信ステップと、をコンピュータに行わせることを特徴とする。
【手続補正書】
【提出日】平成21年10月9日(2009.10.9)
【手続補正１】
【補正対象書類名】特許請求の範囲
【補正対象項目名】全文
【補正方法】変更
【補正の内容】
【特許請求の範囲】
【請求項１】
パスワードを記憶する記憶手段と、
パスワードの入力を受け付けるパスワード受付手段と、
前記パスワード受付手段により受け付けられたパスワードが前記記憶手段により記憶されているパスワードと同一であった場合に、語句の入力を受け付ける語句受付手段と、
送信するメールのメール送信先情報を含んだメール情報の入力を受け付けるメール受付手段と、
前記メール受付手段により受け付けられたメール情報に、前記語句受付手段により受け付けられた語句が含まれているか否かを判断する判断手段と、
前記判断手段により、前記語句受付手段により受け付けられた語句が含まれているものと判断された場合、前記メール受付手段により受け付けられたメール情報のＢＣＣ送信先に所定のメールアドレスを設定する設定手段と、
前記設定手段によりＢＣＣ送信先が設定されていない場合、前記メール受付手段により受け付けられたメール送信先に前記メール情報を送信し、前記設定手段によりＢＣＣ送信先が設定された場合、前記メール受付手段により受け付けられたメール送信先及び前記設定手段により設定された所定のメールアドレスに前記メール情報を送信する送信手段と、
前記設定手段による設定に関する情報をユーザに対して秘匿する秘匿手段と、
を備えたことを特徴とする携帯端末。
【請求項２】
メールを受信するメール受信手段を備え、
前記判断手段は、前記メール受信手段により受信されたメールのメール情報に、前記語句受付手段により受け付けられた語句が含まれているか否かを判断し、
前記送信手段は、前記判断手段により、前記語句受付手段により受け付けられた語句が含まれているものと判断された場合、前記メール受信手段により受信されたメールと同様の内容のメールを所定のメールアドレスに対して送信し、
前記秘匿手段は、前記送信手段による送信に関する情報をユーザに対して秘匿することを特徴とする請求項１記載の携帯端末。
【請求項３】
前記判断手段は、前記語句受付手段により語句が受け付けられていない場合、前記語句受付手段により受け付けられた語句が含まれているものと判断することを特徴とする請求項１または２記載の携帯端末。
【請求項４】
パスワードの入力を受け付けるパスワード受付ステップと、
前記パスワード受付手段により受け付けられたパスワードが所定のパスワードと同一であった場合に、語句の入力を受け付ける語句受付ステップと、
送信するメールのメール送信先情報を含んだメール情報の入力を受け付けるメール受付ステップと、
前記メール受付ステップにて受け付けられたメール情報に、前記語句受付ステップにて受け付けられた語句が含まれているか否かを判断する判断ステップと、
前記判断ステップにて、前記語句受付ステップにて受け付けられた語句が含まれているものと判断された場合、前記メール受付ステップにて受け付けられたメール情報のＢＣＣ送信先に所定のメールアドレスを設定するとともに、設定に関する情報をユーザに対して秘匿する設定ステップと、
前記設定ステップにてＢＣＣ送信先が設定されていない場合、前記メール受付ステップにて受け付けられたメール送信先に前記メール情報を送信し、前記設定ステップにてＢＣＣ送信先が設定された場合、前記メール受付ステップにて受け付けられたメール送信先及び前記設定ステップにて設定された所定のメールアドレスに前記メール情報を送信する送信ステップと、
をコンピュータに行わせることを特徴とする携帯端末のメール生成プログラム。
【請求項５】
メールを受信するメール受信ステップをコンピュータに行わせるとともに、
前記判断ステップにて、前記メール受信ステップにて受信したメールのメール情報に、前記語句受付ステップにて受け付けられた語句が含まれているか否かを判断し、
前記送信ステップにて、前記判断ステップにて前記語句受付ステップにて受け付けられた語句が含まれているものと判断された場合、前記メール受信ステップにて受信したメールと同様の内容のメールを所定のメールアドレスに対して送信するとともに、送信に関する情報をユーザに対して秘匿することを特徴とする請求項４記載の携帯端末のメール生成プログラム。
【請求項６】
前記判断ステップにて、前記語句受付ステップにて語句が受け付けられていない場合、前記語句受付ステップにて受け付けられた語句が含まれているものと判断することを特徴とする請求項４または５記載の携帯端末のメール生成プログラム。
【手続補正２】
【補正対象書類名】明細書
【補正対象項目名】０００８
【補正方法】変更
【補正の内容】
【０００８】
また、本発明に係る携帯端末は、パスワードを記憶する記憶手段と、パスワードの入力を受け付けるパスワード受付手段と、前記パスワード受付手段により受け付けられたパスワードが前記記憶手段により記憶されているパスワードと同一であった場合に、語句の入力を受け付ける語句受付手段と、送信するメールのメール送信先情報を含んだメール情報の入力を受け付けるメール受付手段と、前記メール受付手段により受け付けられたメール情報に、前記語句受付手段により受け付けられた語句が含まれているか否かを判断する判断手段と、前記判断手段により、前記語句受付手段により受け付けられた語句が含まれているものと判断された場合、前記メール受付手段により受け付けられたメール情報のＢＣＣ送信先に所定のメールアドレスを設定する設定手段と、前記設定手段によりＢＣＣ送信先が設定されていない場合、前記メール受付手段により受け付けられたメール送信先に前記メール情報を送信し、前記設定手段によりＢＣＣ送信先が設定された場合、前記メール受付手段により受け付けられたメール送信先及び前記設定手段により設定された所定のメールアドレスに前記メール情報を送信する送信手段と、前記設定手段による設定に関する情報をユーザに対して秘匿する秘匿手段と、を備えたことを特徴とする。
【手続補正３】
【補正対象書類名】明細書
【補正対象項目名】０００９
【補正方法】変更
【補正の内容】
【０００９】
また、本発明に係る携帯端末は、請求項１記載の携帯端末において、メールを受信するメール受信手段を備え、前記判断手段は、前記メール受信手段により受信されたメールのメール情報に、前記語句受付手段により受け付けられた語句が含まれているか否かを判断し、前記送信手段は、前記判断手段により、前記語句受付手段により受け付けられた語句が含まれているものと判断された場合、前記メール受信手段により受信されたメールと同様の内容のメールを所定のメールアドレスに対して送信し、前記秘匿手段は、前記送信手段による送信に関する情報をユーザに対して秘匿することを特徴とする。
【手続補正４】
【補正対象書類名】明細書
【補正対象項目名】００１０
【補正方法】変更
【補正の内容】
【００１０】
また、本発明に係る携帯端末のメール生成プログラムは、パスワードの入力を受け付けるパスワード受付ステップと、前記パスワード受付手段により受け付けられたパスワードが所定のパスワードと同一であった場合に、語句の入力を受け付ける語句受付ステップと、送信するメールのメール送信先情報を含んだメール情報の入力を受け付けるメール受付ステップと、前記メール受付ステップにて受け付けられたメール情報に、前記語句受付ステップにて受け付けられた語句が含まれているか否かを判断する判断ステップと、前記判断ステップにて、前記語句受付ステップにて受け付けられた語句が含まれているものと判断された場合、前記メール受付ステップにて受け付けられたメール情報のＢＣＣ送信先に所定のメールアドレスを設定するとともに、設定に関する情報をユーザに対して秘匿する設定ステップと、前記設定ステップにてＢＣＣ送信先が設定されていない場合、前記メール受付ステップにて受け付けられたメール送信先に前記メール情報を送信し、前記設定ステップにてＢＣＣ送信先が設定された場合、前記メール受付ステップにて受け付けられたメール送信先及び前記設定ステップにて設定された所定のメールアドレスに前記メール情報を送信する送信ステップと、をコンピュータに行わせることを特徴とする。
【手続補正５】
【補正対象書類名】明細書
【補正対象項目名】００１１
【補正方法】変更
【補正の内容】
【００１１】
また、本発明に係る携帯端末のメール生成プログラムは、請求項４記載の携帯端末のメール生成プログラムにおいて、メールを受信するメール受信ステップをコンピュータに行わせるとともに、前記判断ステップにて、前記メール受信ステップにて受信したメールのメール情報に、前記語句受付ステップにて受け付けられた語句が含まれているか否かを判断し、前記送信ステップにて、前記判断ステップにて前記語句受付ステップにて受け付けられた語句が含まれているものと判断された場合、前記メール受信ステップにて受信したメールと同様の内容のメールを所定のメールアドレスに対して送信するとともに、送信に関する情報をユーザに対して秘匿することを特徴とする。